(57)【要約】【課題】天部に被陳列物の載置部を有する陳列台において、載置部よりも下側の部分に収納機能を持たせることにより、陳列スペースを多くすることができる陳列台を提供する。【解決手段】陳列台１は、本体部１０と、一対の棚部２００と、上部構成部３００とを有し、上部構成部３００に被陳列物を陳列することができるのみならず、一対の棚部２００が本体部１０の正面側と背面側に設けられることにより、上部構成部３００の下側に収納機能を持たせることができ、特に、上部構成部３００の下側の正面側と背面側に収納スペースを設けることができる。【選択図】図１
0003187775.tif 000002
【実用新案登録請求の範囲】
【請求項１】
陳列台であって、
本体部（１０）と、本体部に取り付ける一対の棚部（２００）とを有する下部構成部（５）と、本体部の上端に取り付ける上部構成部（３００）とを有し、
本体部が、シート状のブランクにより構成された第１構成部（２０）と、シート状のブランクにより構成された第２構成部（１２０）とを有し、
第１構成部が、前板部（３０）と、前板部の左右方向における一方である第１の側の辺部から設けられた第１糊代部（４０）と、前板部の糊代部とは反対側の辺部から順に設けられた前側第１内板部（５０）と、第１外板部（７０）と、後側第１内板部（９０）とを有し、
第２構成部が、後板部（１３０）と、後板部の左右方向における他方である第２の側の辺部から設けられた第２糊代部（１４０）と、後板部の糊代部とは反対側の辺部から順に設けられた後側第２内板部（１５０）と、第２外板部（１７０）と、前側第２内板部（１９０）とを有し、
第１外板部の横方向の長さが、前側第１内板部の横方向の長さと後側第１内板部の横方向の長さの和よりも長く形成されるとともに、第２外板部の横方向の長さが、前側第２内板部の横方向の長さと後側第２内板部の横方向の長さの和よりも長く形成され、
第１糊代部が第２外板部の内側の面と接着し、第２糊代部が第１外板部の内側の面と接着し、前側第１内板部が第２糊代部又は第１外板部と接着し、後側第１内板部が第１外板部又は第２糊代部と接着し、前側第２内板部が第２外板部又は第１糊代部と接着し、後側第２内板部が第１糊代部又は第２外板部と接着し、
前板部と後板部とは互いに略平行に設けられ、
前側第１内板部と前側第２内板部と後側第１内板部と後側第２内板部には、棚部の差込み片部を差し込むための被差込み部（５２Ｋ、９２Ｋ、１５２Ｋ、１９２Ｋ）が設けられ、
棚部は、被陳列物を載置するための棚部本体（２０１）と、棚部本体の両側から設けられた差込み片部（２１０、２１２）とを有し、
上部構成部は、略方形状の板状を呈する床板部で被陳列物を載置するための床板部（３０１）と、床板部の周囲に設けられた枠状部（３７０）とを有し、
本体部における第１外板部と第２外板部とを前板部及び後板部に対して直角にすることにより本体部を上面視において略Ｈ形状とし、本体部の上端を上部構成部の枠状部の内側に差し込むことにより上部構成部を本体部の上端に取り付けるとともに、前側第１内板部と前側第２内板部とに設けられた被差込み部に差込み片部を差し込むことにより一対の棚部における一方の棚部を取り付け、後側第１内板部と後側第２内板部とに設けられた被差込み部に差込み片部を差し込むことにより他方の棚部を取り付けることにより、陳列台が組み立てられることを特徴とする陳列台。
【請求項２】
第１外板部は、前側第１内板部の辺部に沿って形成された第１帯状部（６０）を介して設けられ、後側第１内板部は、第１外板部の辺部に沿って形成された第２帯状部（８０）を介して設けられ、
第２外板部は、後側第２内板部の辺部に沿って形成された第３帯状部（１６０）を介して設けられ、前側第２内板部は、第２外板部の辺部に沿って形成された第４帯状部（１８０）を介して設けられていることを特徴とする請求項１に記載の陳列台。
【請求項３】
第１糊代部が、前板部との間の折れ線よりも前板部とは反対側に形成された第１糊代部本体（４１）と、第１糊代部本体から連設された第１糊代部突状部で、前板部における第１糊代部本体と前板部間の折れ線に沿った領域を切り欠くことにより第１糊代部本体と前板部間の折れ線よりも前板部側に突出して形成された第１糊代部突状部（４２、４４）とを有し、
第２糊代部が、後板部との間の折れ線よりも後板部とは反対側に形成された第２糊代部本体（１４１）と、第２糊代部本体から連設された第２糊代部突状部で、後板部における第２糊代部本体と後板部間の折れ線に沿った領域を切り欠くことにより第２糊代部本体と後板部間の折れ線よりも後板部側に突出して形成された第２糊代部突状部（１４２、１４４）とを有することを特徴とする請求項１又は２に記載の陳列台。
【請求項４】
前側第１内板部が、第２糊代部本体と接着し、後側第１内板部が、第１外板部及び第２糊代部突状部と接着し、前側第２内板部が、第１糊代部本体と接着し、後側第２内板部が、第２外板部及び第１糊代部突状部と接着していることを特徴とする請求項３に記載の陳列台。
【請求項５】
棚部の棚部本体は、棚部本体の上面が奥側に行くほど下方となるように傾斜して設けられていることを特徴とする請求項１又は２又は３又は４に記載の陳列台。
【請求項６】
棚部は、１枚のシート状のブランクにより形成され、棚部は、上板部（２０４）と、上板部の一方の辺部から設けられ、上板部と接着された底板部（２０８）とを有し、上板部と底板部とが接着されて上板部と底板部とにより棚部本体が形成され、差込み片部は、底板部の両側から連設されていることを特徴とする請求項１又は２又は３又は４又は５に記載の陳列台。
【請求項７】
底板部は、上板部の辺部に沿って形成された第５帯状部（２０６）を介して設けられていることを特徴とする請求項６に記載の陳列台。
【請求項８】
底板部の上板部が設けられた側の辺部とは反対側の端部には、突状の底板部突状部（２０８ｃ）が設けられ、前板部と後板部には、底板部突状部を差し込むための第２被差込み部（３０ａ、１３０ａ）が設けられていることを特徴とする請求項６又は７に記載の陳列台。
【請求項９】
底板部の上板部が設けられた側の辺部とは反対側の辺部から下方板部（２１４）が設けられ、該下方板部の相対する辺部に突状の下方板部突状部（２１４ａ、２１４ｂ）が設けられ、前側第１内板部と後側第１内板部と前側第２内板部と後側第２内板部とには、下方板部突状部を差し込むための第３被差込み部（５４、９４、１５４、１９４）が設けられ、下方板部突状部を第３被差込み部に差し込んで棚部を本体部に取り付けた状態では、下方板部の外側の面が斜め上方を向くことを特徴とする請求項６又は７又は８に記載の陳列台。
【請求項１０】
上板部の底板部が設けられた側の辺部とは反対側の辺部から奥板部（２０２）が設けられ、
棚部を本体部の前側第１内板部と前側第２内板部間に取り付け、奥板部の上端が前板部に接した状態では、奥板部が前板部側にいくほど上位置となるように傾斜して設けられ、
棚部を本体部の後側第１内板部と後側第２内板部間に取り付け、奥板部の上端が後板部に接した状態では、奥板部が後板部側にいくほど上位置となるように傾斜して設けられていることを特徴とする請求項６又は７又は８又は９に記載の陳列台。
【請求項１１】
上部構成部における枠状部が、床板部の各辺から立設して設けられた内板部（３０２、３０４、３０６、３０８）と、内板部の床板部側とは反対側に設けられ対応する内板部と略平行に設けられる外板部（３２２、３２４、３２６、３２８）と、床板部における一方の相対する辺部に対応する外板部である第１外板部の相対する辺部から設けられた連結板部（３３０、３３２、３３４、３３６）と、床板部における他方の相対する辺部に対応する外板部である第２外板部の内板部側とは反対側に設けられ対応する第２外板部と略平行に設けられる裏板部（３５２、３５４）とを有し、各外板部の下端は、床板部よりも下方に突出して形成され、
第１外板部を対応する内板部と略平行な状態として連結板部を第１外板部に対して内側に折曲した際に、相対する第１外板部から設けられた連結板部で互いに対向する一対の連結板部は互いに係合可能に形成され、
第２外板部と該第２外板部に対応する内板部間に連結板部が配置されるとともに、第２外板部と該第２外板部に対応する裏板部間に連結板部が配置され、
本体部の上端を枠状部の内側に差し込んだ際に、本体部の上端は、第１外板部の内側と裏板部の内側に配置されることを特徴とする請求項１又は２又は３又は４又は５又は６又は７又は８又は９又は１０に記載の陳列台。
【請求項１２】
外板部は、内板部の辺部に沿って形成された第６帯状部（３１２、３１４、３１６、３１８）を介して設けられ、裏板部は、第２外板部の辺部に沿って形成された第７帯状部（３４２、３４４）を介して設けられていることを特徴とする請求項１１に記載の陳列台。
【請求項１３】
陳列台であって、
本体部（１０）と、本体部に取り付ける一対の棚部（２００）とを有する下部構成部（５）と、本体部の上端に取り付ける上部構成部（３００）とを有し、
本体部が、シート状のブランクにより構成された第１構成部（２０）と、シート状のブランクにより構成された第２構成部（１２０）とを有し、
第１構成部が、前板部（３０）と、前板部の左右方向における一方である第１の側の辺部から設けられた第１糊代部（４０）と、前板部の糊代部とは反対側の辺部から順に設けられた前側第１内板部（５０）と、第１帯状部（６０）と、第１外板部（７０）と、第２帯状部（８０）と、後側第１内板部（９０）とを有し、第１糊代部が、前板部との間の折れ線よりも前板部とは反対側に形成された第１糊代部本体（４１）と、第１糊代部本体から連設された第１糊代部突状部で、前板部における第１糊代部本体と前板部間の折れ線に沿った領域を切り欠くことにより第１糊代部本体と前板部間の折れ線よりも前板部側に突出して形成された第１糊代部突状部（４２、４４）とを有し、
第２構成部が、後板部（１３０）と、後板部の左右方向における他方である第２の側の辺部から設けられた第２糊代部（１４０）と、後板部の糊代部とは反対側の辺部から順に設けられた後側第２内板部（１５０）と、第３帯状部（１６０）と、第２外板部（１７０）と、第４帯状部（１８０）と、前側第２内板部（１９０）とを有し、第２糊代部が、後板部との間の折れ線よりも後板部とは反対側に形成された第２糊代部本体（１４１）と、第２糊代部本体から連設された第２糊代部突状部で、後板部における第２糊代部本体と後板部間の折れ線に沿った領域を切り欠くことにより第２糊代部本体と後板部間の折れ線よりも後板部側に突出して形成された第２糊代部突状部（１４２、１４４）とを有し、
第１外板部の横方向の長さが、前側第１内板部の横方向の長さと後側第１内板部の横方向の長さの和よりも長く形成されるとともに、第２外板部の横方向の長さが、前側第２内板部の横方向の長さと後側第２内板部の横方向の長さの和よりも長く形成され、
第１糊代部の第１糊代部本体と第１糊代部突状部とが第２外板部の内側の面と接着し、第２糊代部の第２糊代部本体と第２糊代部突状部とが第１外板部の内側の面と接着し、前側第１内板部が、第２糊代部本体と接着し、後側第１内板部が、第１外板部及び第２糊代部突状部と接着し、前側第２内板部が、第１糊代部本体と接着し、後側第２内板部が、第２外板部及び第１糊代部突状部と接着し、
前板部と後板部とは互いに略平行に設けられ、
前側第１内板部と前側第２内板部と後側第１内板部と後側第２内板部には、棚部の差込み片部を差し込むための第１被差込み部（５２Ｋ、９２Ｋ、１５２Ｋ、１９２Ｋ）が設けられ、
棚部は、１枚のシート状のブランクにより形成され、棚部は、被陳列物を載置するための棚部本体で、上板部（２０４）と、上板部の一方の辺部に沿って設けられた第５帯状部（２０６）と、第５帯状部の上板部とは反対側の辺部から設けられ、上板部と接着された底板部（２０８）とを有し、底板部の第５帯状部側とは反対側の端部に、突状の底板部突状部（２０８ｃ）が設けられた棚部本体（２０１）と、底板部の両側から設けられた差込み片部（２１０、２１２）と、底板部の第５帯状部側とは反対側の辺部から設けられた下方板部で、相対する辺部に突状の下方板部突状部（２１４ａ、２１４ｂ）が設けられた下方板部（２１４）と、上板部の第５帯状部とは反対側の辺部から設けられた奥板部（２０２）とを有し、
前板部と後板部には、底板部突状部を差し込むための第２被差込み部（３０ａ、１３０ａ）が設けられ、前側第１内板部と後側第１内板部と前側第２内板部と後側第２内板部とには、下方板部突状部を差し込むための第３被差込み部（５４、９４、１５４、１９４）が設けられ、下方板部突状部を第３被差込み部に差し込んで棚部を本体部に取り付けた状態では、下方板部の外側の面が斜め上方を向き、
棚部を本体部の前側第１内板部と前側第２内板部間に取り付け、奥板部の上端が前板部に接した状態では、奥板部が前板部側にいくほど上位置となるように傾斜して設けられ、棚部を本体部の後側第１内板部と後側第２内板部間に取り付け、奥板部の上端が後板部に接した状態では、奥板部が後板部側にいくほど上位置となるように傾斜して設けられ、
上部構成部は、略方形状の板状を呈する床板部で被陳列物を載置するための床板部（３０１）と、床板部の周囲に設けられた枠状部（３７０）とを有し、
該枠状部が、床板部の各辺から立設して設けられた内板部（３０２、３０４、３０６、３０８）と、内板部の床板部側とは反対側の辺部に沿って設けられた第６帯状部（３１２、３１４、３１６、３１８）と、第６帯状部の内板部とは反対側の辺部から設けられ対応する内板部と略平行に設けられる外板部（３２２、３２４、３２６、３２８）と、床板部における一方の相対する辺部に対応する外板部である第１外板部の相対する辺部から設けられた連結板部（３３０、３３２、３３４、３３６）と、床板部における他方の相対する辺部に対応する外板部である第２外板部の内板部側とは反対側の辺部に沿って設けられた第７帯状部（３４２、３４４）と、第７帯状部の第２外板部とは反対側の辺部から設けられ対応する第２外板部と略平行に設けられる裏板部（３５２、３５４）とを有し、各外板部の下端は、床板部よりも下方に突出して形成され、
第１外板部を対応する内板部と略平行な状態として連結板部を第１外板部に対して内側に折曲した際に、相対する第１外板部から設けられた連結板部で互いに対向する一対の連結板部は互いに係合可能に形成され、
第２外板部と該第２外板部に対応する内板部間に連結板部が配置されるとともに、第２外板部と該第２外板部に対応する裏板部間に連結板部が配置され、
本体部における第１外板部と第２外板部とを前板部及び後板部に対して直角にすることにより本体部を上面視において略Ｈ形状とし、本体部の上端を上部構成部の枠状部の内側に差し込むことにより本体部の上端が第１外板部の内側と裏板部の内側に配置された状態で上部構成部を本体部の上端に取り付けるとともに、前側第１内板部と前側第２内板部とに設けられた第１被差込み部に差込み片部を差し込むことにより一対の棚部における一方の棚部を取り付け、後側第１内板部と後側第２内板部とに設けられた第１被差込み部に差込み片部を差し込むことにより他方の棚部を取り付けることにより、陳列台が組み立てられることを特徴とする陳列台。
【請求項１４】
互いに対向する一対の連結板部の一方が、基端がくびれた形状の突状部である連結板部突状部を有し、一対の連結板部の他方が、該連結板部突状部と嵌合する切欠部を有することを特徴とする請求項１１又は１２又は１３に記載の陳列台。
【考案の詳細な説明】
【技術分野】
【０００１】
本考案は、陳列台に関するものであり、特に、天部に被陳列物の載置部を有する陳列台に関するものである。
【背景技術】
【０００２】
従来より、天部に被陳列物の載置部を有する陳列台として特許文献１〜特許文献３に示すものが存在する。
【０００３】
特許文献１に記載の組立式フロアディスプレイは、テーブル台１０と、テーブル台１０に収納される補強材２０と、テーブル台１０に載置されるテーブル３０と、テーブル３０の底面に敷かれるテーブルシート４０とを有している。
【０００４】
特許文献２に記載の陳列台は、四角形筒の対面する二面の下部を内側に折り込んで形成した折込板１によって、床板２を下から支えて補強する事を特徴としたものである。
【０００５】
特許文献３に記載の陳列台は、側板１を切離線２によって上下に二分し、下の分離板を入側板３とし、上の分離版を出側板４とし、側板１の両側は山折線を介して太いＴ字形状の前板５と背板６とに延設され、入側板３の天縁に床板７を乗せて、入側板３が床板７を支える事を特徴とするものである。
【先行技術文献】
【特許文献】
【０００６】
【特許文献１】特開２００５−６６００８号公報
【特許文献２】特開２００１−１２０４００号公報
【特許文献３】特開２０００−７００８９号公報
【考案の概要】
【考案が解決しようとする課題】
【０００７】
しかし、天部に被陳列物の載置部を有する陳列台において、底部に設けられた載置部しか被陳列物を陳列することができず、陳列スペースが少ないという問題があった。特に、載置部よりも下側の部分、すなわち、脚部として機能する部分にも収納機能をもたせることが要望されていた。
【０００８】
そこで、本考案は、天部に被陳列物の載置部を有する陳列台において、載置部よりも下側の部分に収納機能を持たせることにより、陳列スペースを多くすることができる陳列台を提供することを目的とするものである。
【課題を解決するための手段】
【０００９】
本考案は上記問題点を解決するために創作されたものであって、第１には、陳列台であって、本体部（１０）と、本体部に取り付ける一対の棚部（２００）とを有する下部構成部（５）と、本体部の上端に取り付ける上部構成部（３００）とを有し、本体部が、シート状のブランクにより構成された第１構成部（２０）と、シート状のブランクにより構成された第２構成部（１２０）とを有し、第１構成部が、前板部（３０）と、前板部の左右方向における一方である第１の側の辺部から設けられた第１糊代部（４０）と、前板部の糊代部とは反対側の辺部から順に設けられた前側第１内板部（５０）と、第１外板部（７０）と、後側第１内板部（９０）とを有し、第２構成部が、後板部（１３０）と、後板部の左右方向における他方である第２の側の辺部から設けられた第２糊代部（１４０）と、後板部の糊代部とは反対側の辺部から順に設けられた後側第２内板部（１５０）と、第２外板部（１７０）と、前側第２内板部（１９０）とを有し、第１外板部の横方向の長さが、前側第１内板部の横方向の長さと後側第１内板部の横方向の長さの和よりも長く形成されるとともに、第２外板部の横方向の長さが、前側第２内板部の横方向の長さと後側第２内板部の横方向の長さの和よりも長く形成され、第１糊代部が第２外板部の内側の面と接着し、第２糊代部が第１外板部の内側の面と接着し、前側第１内板部が第２糊代部又は第１外板部と接着し、後側第１内板部が第１外板部又は第２糊代部と接着し、前側第２内板部が第２外板部又は第１糊代部と接着し、後側第２内板部が第１糊代部又は第２外板部と接着し、前板部と後板部とは互いに略平行に設けられ、前側第１内板部と前側第２内板部と後側第１内板部と後側第２内板部には、棚部の差込み片部を差し込むための被差込み部（５２Ｋ、９２Ｋ、１５２Ｋ、１９２Ｋ）が設けられ、棚部は、被陳列物を載置するための棚部本体（２０１）と、棚部本体の両側から設けられた差込み片部（２１０、２１２）とを有し、上部構成部は、略方形状の板状を呈する床板部で被陳列物を載置するための床板部（３０１）と、床板部の周囲に設けられた枠状部（３７０）とを有し、本体部における第１外板部と第２外板部とを前板部及び後板部に対して直角にすることにより本体部を上面視において略Ｈ形状とし、本体部の上端を上部構成部の枠状部の内側に差し込むことにより上部構成部を本体部の上端に取り付けるとともに、前側第１内板部と前側第２内板部とに設けられた被差込み部に差込み片部を差し込むことにより一対の棚部における一方の棚部を取り付け、後側第１内板部と後側第２内板部とに設けられた被差込み部に差込み片部を差し込むことにより他方の棚部を取り付けることにより、陳列台が組み立てられることを特徴とする。
【００１０】
第１の構成の陳列台においては、上部構成部に被陳列物を陳列することができるのみならず、一対の棚部が本体部の正面側と背面側に設けられることにより、上部構成部の下側に収納機能を持たせることができ、特に、上部構成部の下側の正面側と背面側に収納スペースを設けることができる。
【００１１】
また、本体部は、前板部と前側第１内板部との角度が大きくなるように、第１外板部と前側第１内板部と後側第１内板部とを前板部及び後板部に対してを回動させ、後板部と後側第２内板部との角度が大きくなるように、第２外板部と前側第２内板部と後側第２内板部とを前板部及び後板部に対して回動させることにより、扁平状に折り畳むことができ、省スペースを図ることができる。
【００１２】
また、第２には、上記第１の構成において、第１外板部は、前側第１内板部の辺部に沿って形成された第１帯状部（６０）を介して設けられ、後側第１内板部は、第１外板部の辺部に沿って形成された第２帯状部（８０）を介して設けられ、第２外板部は、後側第２内板部の辺部に沿って形成された第３帯状部（１６０）を介して設けられ、前側第２内板部は、第２外板部の辺部に沿って形成された第４帯状部（１８０）を介して設けられていることを特徴とする。
【００１３】
また、第３には、上記第１又は第２の構成において、第１糊代部が、前板部との間の折れ線よりも前板部とは反対側に形成された第１糊代部本体（４１）と、第１糊代部本体から連設された第１糊代部突状部で、前板部における第１糊代部本体と前板部間の折れ線に沿った領域を切り欠くことにより第１糊代部本体と前板部間の折れ線よりも前板部側に突出して形成された第１糊代部突状部（４２、４４）とを有し、第２糊代部が、後板部との間の折れ線よりも後板部とは反対側に形成された第２糊代部本体（１４１）と、第２糊代部本体から連設された第２糊代部突状部で、後板部における第２糊代部本体と後板部間の折れ線に沿った領域を切り欠くことにより第２糊代部本体と後板部間の折れ線よりも後板部側に突出して形成された第２糊代部突状部（１４２、１４４）とを有することを特徴とする。よって、第１糊代部は、第１糊代部本体のみならず、第１糊代部突状部を有しているので、前板部の第２外板部に対する直角の状態を安定して保つことができ、本体部の略Ｈ形状を保持しやすくでき、第２糊代部は、第２糊代部本体のみならず、第２糊代部突状部を有しているので、後板部の第１外板部に対する直角の状態を安定して保つことができ、本体部の略Ｈ形状を保持しやすくできる。
【００１４】
また、第４には、上記第３の構成において、前側第１内板部が、第２糊代部本体と接着し、後側第１内板部が、第１外板部及び第２糊代部突状部と接着し、前側第２内板部が、第１糊代部本体と接着し、後側第２内板部が、第２外板部及び第１糊代部突状部と接着していることを特徴とする。
【００１５】
また、第５には、上記第１から第４までのいずれかの構成において、棚部の棚部本体は、棚部本体の上面が奥側に行くほど下方となるように傾斜して設けられていることを特徴とする。よって、斜め上方から視認した場合に、被陳列物を見やすくすることができる。
【００１６】
また、第６には、上記第１から第５までのいずれかの構成において、棚部は、１枚のシート状のブランクにより形成され、棚部は、上板部（２０４）と、上板部の一方の辺部から設けられ、上板部と接着された底板部（２０８）とを有し、上板部と底板部とが接着されて上板部と底板部とにより棚部本体が形成され、差込み片部は、底板部の両側から連設されていることを特徴とする。
【００１７】
また、第７には、上記第６の構成において、底板部は、上板部の辺部に沿って形成された第５帯状部（２０６）を介して設けられていることを特徴とする。
【００１８】
また、第８には、上記第６又は第７の構成において、底板部の上板部が設けられた側の辺部とは反対側の端部には、突状の底板部突状部（２０８ｃ）が設けられ、前板部と後板部には、底板部突状部を差し込むための第２被差込み部（３０ａ、１３０ａ）が設けられていることを特徴とする。よって、棚部の背面側も本体部に固定されるので、棚部を強固に本体部に固定でき、また、本体部自体も略Ｈ形状を強固に維持できて、本体部の強度も増すことができる。
【００１９】
また、第９には、上記第６から第８までのいずれかの構成において、底板部の上板部が設けられた側の辺部とは反対側の辺部から下方板部（２１４）が設けられ、該下方板部の相対する辺部に突状の下方板部突状部（２１４ａ、２１４ｂ）が設けられ、前側第１内板部と後側第１内板部と前側第２内板部と後側第２内板部とには、下方板部突状部を差し込むための第３被差込み部（５４、９４、１５４、１９４）が設けられ、下方板部突状部を第３被差込み部に差し込んで棚部を本体部に取り付けた状態では、下方板部の外側の面が斜め上方を向くことを特徴とする。よって、下方板部に広告を印刷する等して表示させることにより、広告の内容を見やすくすることができる。
【００２０】
また、第１０には、上記第６から第９までのいずれかの構成において、上板部の底板部が設けられた側の辺部とは反対側の辺部から奥板部（２０２）が設けられ、
棚部を本体部の前側第１内板部と前側第２内板部間に取り付け、奥板部の上端が前板部に接した状態では、奥板部が前板部側にいくほど上位置となるように傾斜して設けられ、
棚部を本体部の後側第１内板部と後側第２内板部間に取り付け、奥板部の上端が後板部に接した状態では、奥板部が後板部側にいくほど上位置となるように傾斜して設けられていることを特徴とする。よって、奥板部により被陳列物の奥側の面を支えることができ、被陳列物が手前側に倒れるのを防止することができる。
【００２１】
また、第１１には、上記第１から第１０までのいずれかの構成において、上部構成部における枠状部が、床板部の各辺から立設して設けられた内板部（３０２、３０４、３０６、３０８）と、内板部の床板部側とは反対側に設けられ対応する内板部と略平行に設けられる外板部（３２２、３２４、３２６、３２８）と、床板部における一方の相対する辺部に対応する外板部である第１外板部の相対する辺部から設けられた連結板部（３３０、３３２、３３４、３３６）と、床板部における他方の相対する辺部に対応する外板部である第２外板部の内板部側とは反対側に設けられ対応する第２外板部と略平行に設けられる裏板部（３５２、３５４）とを有し、各外板部の下端は、床板部よりも下方に突出して形成され、第１外板部を対応する内板部と略平行な状態として連結板部を第１外板部に対して内側に折曲した際に、相対する第１外板部から設けられた連結板部で互いに対向する一対の連結板部は互いに係合可能に形成され、第２外板部と該第２外板部に対応する内板部間に連結板部が配置されるとともに、第２外板部と該第２外板部に対応する裏板部間に連結板部が配置され、本体部の上端を枠状部の内側に差し込んだ際に、本体部の上端は、第１外板部の内側と裏板部の内側に配置されることを特徴とする。
【００２２】
また、第１２には、上記第１１の構成において、外板部は、内板部の辺部に沿って形成された第６帯状部（３１２、３１４、３１６、３１８）を介して設けられ、裏板部は、第２外板部の辺部に沿って形成された第７帯状部（３４２、３４４）を介して設けられていることを特徴とする。
【００２３】
また、第１３には、陳列台であって、本体部（１０）と、本体部に取り付ける一対の棚部（２００）とを有する下部構成部（５）と、本体部の上端に取り付ける上部構成部（３００）とを有し、本体部が、シート状のブランクにより構成された第１構成部（２０）と、シート状のブランクにより構成された第２構成部（１２０）とを有し、第１構成部が、前板部（３０）と、前板部の左右方向における一方である第１の側の辺部から設けられた第１糊代部（４０）と、前板部の糊代部とは反対側の辺部から順に設けられた前側第１内板部（５０）と、第１帯状部（６０）と、第１外板部（７０）と、第２帯状部（８０）と、後側第１内板部（９０）とを有し、第１糊代部が、前板部との間の折れ線よりも前板部とは反対側に形成された第１糊代部本体（４１）と、第１糊代部本体から連設された第１糊代部突状部で、前板部における第１糊代部本体と前板部間の折れ線に沿った領域を切り欠くことにより第１糊代部本体と前板部間の折れ線よりも前板部側に突出して形成された第１糊代部突状部（４２、４４）とを有し、第２構成部が、後板部（１３０）と、後板部の左右方向における他方である第２の側の辺部から設けられた第２糊代部（１４０）と、後板部の糊代部とは反対側の辺部から順に設けられた後側第２内板部（１５０）と、第３帯状部（１６０）と、第２外板部（１７０）と、第４帯状部（１８０）と、前側第２内板部（１９０）とを有し、第２糊代部が、後板部との間の折れ線よりも後板部とは反対側に形成された第２糊代部本体（１４１）と、第２糊代部本体から連設された第２糊代部突状部で、後板部における第２糊代部本体と後板部間の折れ線に沿った領域を切り欠くことにより第２糊代部本体と後板部間の折れ線よりも後板部側に突出して形成された第２糊代部突状部（１４２、１４４）とを有し、第１外板部の横方向の長さが、前側第１内板部の横方向の長さと後側第１内板部の横方向の長さの和よりも長く形成されるとともに、第２外板部の横方向の長さが、前側第２内板部の横方向の長さと後側第２内板部の横方向の長さの和よりも長く形成され、第１糊代部の第１糊代部本体と第１糊代部突状部とが第２外板部の内側の面と接着し、第２糊代部の第２糊代部本体と第２糊代部突状部とが第１外板部の内側の面と接着し、前側第１内板部が、第２糊代部本体と接着し、後側第１内板部が、第１外板部及び第２糊代部突状部と接着し、前側第２内板部が、第１糊代部本体と接着し、後側第２内板部が、第２外板部及び第１糊代部突状部と接着し、前板部と後板部とは互いに略平行に設けられ、前側第１内板部と前側第２内板部と後側第１内板部と後側第２内板部には、棚部の差込み片部を差し込むための第１被差込み部（５２Ｋ、９２Ｋ、１５２Ｋ、１９２Ｋ）が設けられ、棚部は、１枚のシート状のブランクにより形成され、棚部は、被陳列物を載置するための棚部本体で、上板部（２０４）と、上板部の一方の辺部に沿って設けられた第５帯状部（２０６）と、第５帯状部の上板部とは反対側の辺部から設けられ、上板部と接着された底板部（２０８）とを有し、底板部の第５帯状部側とは反対側の端部に、突状の底板部突状部（２０８ｃ）が設けられた棚部本体（２０１）と、底板部の両側から設けられた差込み片部（２１０、２１２）と、底板部の第５帯状部側とは反対側の辺部から設けられた下方板部で、相対する辺部に突状の下方板部突状部（２１４ａ、２１４ｂ）が設けられた下方板部（２１４）と、上板部の第５帯状部とは反対側の辺部から設けられた奥板部（２０２）とを有し、前板部と後板部には、底板部突状部を差し込むための第２被差込み部（３０ａ、１３０ａ）が設けられ、前側第１内板部と後側第１内板部と前側第２内板部と後側第２内板部とには、下方板部突状部を差し込むための第３被差込み部（５４、９４、１５４、１９４）が設けられ、下方板部突状部を第３被差込み部に差し込んで棚部を本体部に取り付けた状態では、下方板部の外側の面が斜め上方を向き、棚部を本体部の前側第１内板部と前側第２内板部間に取り付け、奥板部の上端が前板部に接した状態では、奥板部が前板部側にいくほど上位置となるように傾斜して設けられ、棚部を本体部の後側第１内板部と後側第２内板部間に取り付け、奥板部の上端が後板部に接した状態では、奥板部が後板部側にいくほど上位置となるように傾斜して設けられ、上部構成部は、略方形状の板状を呈する床板部で被陳列物を載置するための床板部（３０１）と、床板部の周囲に設けられた枠状部（３７０）とを有し、該枠状部が、床板部の各辺から立設して設けられた内板部（３０２、３０４、３０６、３０８）と、内板部の床板部側とは反対側の辺部に沿って設けられた第６帯状部（３１２、３１４、３１６、３１８）と、第６帯状部の内板部とは反対側の辺部から設けられ対応する内板部と略平行に設けられる外板部（３２２、３２４、３２６、３２８）と、床板部における一方の相対する辺部に対応する外板部である第１外板部の相対する辺部から設けられた連結板部（３３０、３３２、３３４、３３６）と、床板部における他方の相対する辺部に対応する外板部である第２外板部の内板部側とは反対側の辺部に沿って設けられた第７帯状部（３４２、３４４）と、第７帯状部の第２外板部とは反対側の辺部から設けられ対応する第２外板部と略平行に設けられる裏板部（３５２、３５４）とを有し、各外板部の下端は、床板部よりも下方に突出して形成され、第１外板部を対応する内板部と略平行な状態として連結板部を第１外板部に対して内側に折曲した際に、相対する第１外板部から設けられた連結板部で互いに対向する一対の連結板部は互いに係合可能に形成され、第２外板部と該第２外板部に対応する内板部間に連結板部が配置されるとともに、第２外板部と該第２外板部に対応する裏板部間に連結板部が配置され、本体部における第１外板部と第２外板部とを前板部及び後板部に対して直角にすることにより本体部を上面視において略Ｈ形状とし、本体部の上端を上部構成部の枠状部の内側に差し込むことにより本体部の上端が第１外板部の内側と裏板部の内側に配置された状態で上部構成部を本体部の上端に取り付けるとともに、前側第１内板部と前側第２内板部とに設けられた第１被差込み部に差込み片部を差し込むことにより一対の棚部における一方の棚部を取り付け、後側第１内板部と後側第２内板部とに設けられた第１被差込み部に差込み片部を差し込むことにより他方の棚部を取り付けることにより、陳列台が組み立てられることを特徴とする。
【００２４】
第１３の構成の陳列台においては、上部構成部に被陳列物を陳列することができるのみならず、一対の棚部が本体部の正面側と背面側に設けられることにより、上部構成部の下側に収納機能を持たせることができ、特に、上部構成部の下側の正面側と背面側に収納スペースを設けることができる。
【００２５】
また、本体部は、前板部と前側第１内板部との角度が大きくなるように、第１外板部と前側第１内板部と後側第１内板部とを前板部及び後板部に対してを回動させ、後板部と後側第２内板部との角度が大きくなるように、第２外板部と前側第２内板部と後側第２内板部とを前板部及び後板部に対して回動させることにより、扁平状に折り畳むことができ、省スペースを図ることができる。
【００２６】
また、第１糊代部は、第１糊代部本体のみならず、第１糊代部突状部を有しているので、前板部の第２外板部に対する直角の状態を安定して保つことができ、本体部の略Ｈ形状を保持しやすくでき、第２糊代部は、第２糊代部本体のみならず、第２糊代部突状部を有しているので、後板部の第１外板部に対する直角の状態を安定して保つことができ、本体部の略Ｈ形状を保持しやすくできる。
【００２７】
また、棚部における底板部突状部により、棚部の背面側も本体部に固定されるので、棚部を強固に本体部に固定でき、また、本体部自体も略Ｈ形状を強固に維持できて、本体部の強度も増すことができる。
【００２８】
また、下方板部が設けられているので、下方板部に広告を印刷する等して表示させることにより、広告の内容を見やすくすることができる。
【００２９】
また、奥板部が設けられているので、奥板部により被陳列物の奥側の面を支えることができ、被陳列物が手前側に倒れるのを防止することができる。
【００３０】
また、第１４には、上記第１１又は第１２又は第１３の構成において、互いに対向する一対の連結板部の一方が、基端がくびれた形状の突状部である連結板部突状部を有し、一対の連結板部の他方が、該連結板部突状部と嵌合する切欠部を有することを特徴とする。
【考案の効果】
【００３１】
本考案に基づく陳列台によれば、上部構成部に被陳列物を陳列することができるのみならず、一対の棚部が本体部の正面側と背面側に設けられることにより、上部構成部の下側に収納機能を持たせることができ、特に、上部構成部の下側の正面側と背面側に収納スペースを設けることができる。
【図面の簡単な説明】
【００３２】
【図１】陳列台の右側面側の前方斜視図である。
【図２】陳列台の左側面側の前方斜視図である。
【図３】陳列台の左側面側の後方斜視図である。
【図４】陳列台の右側面側の後方斜視図である。
【図５】第１構成部の展開図である。
【図６】第２構成部の展開図である。
【図７】棚部の展開図である。
【図８】上部構成部の展開図である。
【図９】本体部を折り畳んだ状態の斜視図である。
【図１０】棚部を扁平状にした状態を示す斜視図である。
【図１１】上部構成部を扁平状にした状態を示す斜視図である。
【図１２】上部構成部の組立て途中の状態を示す斜視図である。
【図１３】上部構成部を組み立てた状態を示す斜視図である。
【図１４】本体部を組み立てた状態を示す前方斜視図である。
【図１５】本体部に上部構成部を取り付ける方法を示す斜視図である。
【図１６】本体部に上部構成部を取り付けた状態を示す前方斜視図である。
【図１７】本体部の製造工程を示す説明図である。
【図１８】本体部の製造工程を示す説明図である。
【図１９】本体部の製造工程を示す説明図である。
【考案を実施するための形態】
【００３３】
本考案においては、天部に被陳列物の載置部を有する陳列台において、載置部よりも下側の部分に収納機能を持たせることにより、陳列スペースを多くすることができる陳列台を提供するという目的を以下のようにして実現した。
【００３４】
本考案に基づく陳列台１は、図１〜図８に示すように構成され、下部構成部５と、下部構成部５の上端に設置された上部構成部３００とを有している。
【００３５】
ここで、下部構成部５は、本体部１０と、本体部１０の正面側と背面側に取り付けられた棚部２００とを有し、本体部１０は、上面視において、略Ｈ形状（略Ｈ型形状としてもよい）を呈している。すなわち、本体部１０は、図１４に示すように、左右方向に立設した中央壁部１０Ａと、中央壁部１０Ａの右側面側に連設された右側壁部１０Ｂと、中央壁部１０Ａの左側面側に連設された左側壁部１０Ｃとを有している。
【００３６】
本体部１０の構成を図１〜図６、図１４等を使用して具体的に説明すると、本体部１０は、第１構成部２０と、第２構成部１２０とから構成され、第１構成部２０と第２構成部１２０は、ともに１枚のシート状のブランク（具体的には、段ボール製（例えば、薄型段ボール製）のブランクや厚紙製のブランク等の紙製のブランク）により構成され、第１構成部２０と第２構成部１２０とは同一に形成されている。
【００３７】
ここで、第１構成部２０の構成を説明すると、第１構成部２０は、前板部３０と、前板部３０の右側面側の辺部から折れ線Ｃ１を介して連設された糊代部（第１糊代部）４０と、前板部３０の左側面側の辺部から折れ線Ｃ２を介して連設された前側左内板部（前側第１内板部）５０と、前側左内板部５０の正面側の辺部から折れ線Ｃ３を介して連設された帯状部（第１帯状部）６０と、帯状部６０の左側面側の辺部から折れ線Ｃ４を介して連設された左外板部（第１外板部）７０と、左外板部７０の背面側の辺部から折れ線Ｃ５を介して連設された帯状部（第２帯状部）８０と、帯状部８０の右側面側の辺部から折れ線Ｃ６を介して連設された後側左内板部（後側第１内板部）９０とを有している。
【００３８】
つまり、糊代部４０と前板部３０と前側左内板部５０と帯状部６０と左外板部７０と帯状部８０と後側左内板部９０とは一列に順に設けられ、また、糊代部４０と前板部３０と前側左内板部５０と左外板部７０と後側左内板部９０とは一列に順に設けられ、左外板部７０は帯状部６０を介して前側左内板部５０から連設され、後側左内板部９０は帯状部８０を介して左外板部７０から連設されている。
【００３９】
ここで、前板部３０は、略方形状（具体的には、縦長の略長方形状）を呈し、長方形状の右側面側の辺部に沿って突状部４２、４４を形成するための切欠部を有するとともに、棚部２００の突状部２０８ｃを差し込むための帯状の開口部（第２被差込み部）３０ａが横方向に形成されている。
【００４０】
また、糊代部４０は、前板部３０から折れ線Ｃ１を介して連設され、糊代部４０は、糊代部本体（第１糊代部本体）４１と、糊代部本体４１の前板部３０側に突出して形成された突状部（第１糊代部突状部）４２、４４とを有している。
【００４１】
ここで、糊代部本体４１は、縦長の帯状を呈し、上辺と下辺とが斜めに欠切された台形形状を呈している。また、突状部４２と突状部４４は、略長方形状（具体的には、長方形状における糊代部本体４１側と反対側の一対の端部にアールを形成した長方形状）を呈し、突状部４２と突状部４４とは同大同形状に形成され、突状部４２と突状部４４とは上下方向に間隔を介して形成されている。突状部４２、４４と前板部３０とは切込みにより区画されている。糊代部４０は、糊代部本体４１のみならず、突状部４２、４４を有しているので、前板部３０の右外板部１７０に対する直角の状態を安定して保つことができ、本体部１０の略Ｈ形状を保持しやすくできる。
【００４２】
また、前側左内板部５０は、略方形状（具体的には、縦長の略長方形状）を呈し、長方形状の上端の帯状部６０側にフラップ７２を形成するための切欠部を有した形状を呈している。また、前側左内板部５０の上下方向の略中央位置には、フラップ５２が設けられ、前側左内板部５０の下側位置には、被差込み部５４が設けられている。前側左内板部５０におけるフラップ５２以外の部分が、前側左内板部本体５１となる。
【００４３】
フラップ５２は、略台形形状を呈し、半円状の開口部５２ａと、開口部５２ａから連設された切込み５２ｂと、開口部５２ａの切込み５２ｂと反対側から連設された切込み５２ｃ（切込み５２ｂと切込み５２ｃとは同一直線上に形成されている）と、切込み５２ｂから連設され切込み５２ｂに対して鈍角に形成された切込み５２ｄと、切込み５２ｃから連設され切込み５２ｃに対して鈍角に形成された切込み５２ｅと、切込み５２ｄの端部と切込み５２ｅの端部を結ぶ折れ線５２ｆにより囲まれて形成されている。切込み５２ｂ、５２ｃと折れ線５２ｆとは平行に形成されている。なお、切込み５２ｂ、５２ｃや折れ線５２ｆの方向は、正面側から背面側にいくほど下方に傾斜して形成されている。
【００４４】
フラップ５２を内側に折曲することにより形成された穴部５２Ｋには、棚部２００のフラップ２１２を差し込むことができる。つまり、開口部５２ａと切込み５２ｂ、５２ｃ、５２ｄ、５２ｅに沿った辺部と折れ線５２ｆに沿った辺部により囲まれた穴部５２Ｋは、フラップ２１２を差し込むための被差込み部となる。
【００４５】
また、被差込み部（第３被差込み部）５４は、略コ字状の開口部により形成され、長方形状の開口部５４ａと、開口部５４の両側の端部から開口部５４に対して直角に形成された溝部５４ｂ、５４ｃとから構成されている。この被差込み部５４は、棚部２００（正面側に取り付けられる棚部２００）における突状部２１４ｂを差し込むためのものである。
【００４６】
なお、前側左内板部５０と前板部３０間の折れ線Ｃ２に沿って、折曲しやすいように複数の直線状の切込みが形成されている。
【００４７】
また、帯状部６０は、縦長の帯状を呈している。帯状部６０の上端は、フラップ７２が設けられているため前側左内板部５０や左外板部７０の上端よりも下方に形成されている。
【００４８】
また、左外板部７０は、方形状（具体的には、縦長の長方形状）を呈しており、その横幅は、前側左内板部５０の横幅や後側左内板部９０の横幅よりも大きく（具体的には、２倍以上の長さ）に形成されている。
【００４９】
左外板部７０の正面側の辺部における上端からは折れ線を介してフラップ７２が形成されている。フラップ７２は、略方形状を呈している。フラップ７２は、上部構成部３００を下部構成部５に取り付けた際には、裏板部３５２の内側に裏板部３５２に沿って設けられる。
【００５０】
また、左外板部７０の背面側の辺部における上端からは折れ線を介してフラップ７４が形成されている。フラップ７４は、略方形状を呈している。フラップ７４は、上部構成部３００を下部構成部５に取り付けた際には、裏板部３５４の内側に裏板部３５４に沿って設けられる。フラップ７２とフラップ７４は、対称に形成され、第１構成部２０の展開状態において、フラップ７２とフラップ７４とは線対称に形成されている。
【００５１】
また、後側左内板部９０は、略方形状（具体的には、縦長の略長方形状）を呈し、長方形状の上端の帯状部６０側にフラップ７４を形成するための切欠部を有した形状を呈している。また、後側左内板部９０の上下方向の略中央位置には、フラップ９２が設けられ、後側左内板部９０の下側位置には、被差込み部９４が設けられている。後側左内板部９０におけるフラップ９２以外の部分が、後側左内板部本体９１となる。
【００５２】
フラップ９２は、フラップ５２と対称（第１構成部２０の展開状態では、線対称）に形成されている。つまり、フラップ９２は、略台形形状を呈し、半円状の開口部９２ａと、開口部９２ａから連設された切込み９２ｂと、開口部９２ａの切込み９２ｂと反対側から連設された切込み９２ｃ（切込み９２ｂと切込み９２ｃとは同一直線上に形成されている）と、切込み９２ｂから連設され切込み９２ｂに対して鈍角に形成された切込み９２ｄと、切込み９２ｃから連設され切込み９２ｃに対して鈍角に形成された切込み９２ｅと、切込み９２ｄの端部と切込み９２ｅの端部を結ぶ折れ線９２ｆにより囲まれて形成されている。切込み９２ｂ、９２ｃと折れ線９２ｆとは平行に形成されている。なお、切込み９２ｂ、９２ｃや折れ線９２ｆの方向は、正面側から背面側にいくほど下方に傾斜して形成されている。
【００５３】
フラップ９２を内側に折曲することにより形成された穴部９２Ｋには、棚部２００の差込み片部２１０を差し込むことができる。つまり、開口部９２ａと切込み９２ｂ、９２ｃ、９２ｄ、９２ｅに沿った辺部と折れ線９２ｆに沿った辺部により囲まれた穴部９２Ｋは、フラップ２１０を差し込むための被差込み部となる。
【００５４】
また、被差込み部（第３被差込み部）９４は、略コ字状の開口部により形成され、被差込み部５４と対称（第１構成部２０の展開状態では、線対称）に形成されている。この被差込み部９４は、棚部２００（背面側に取り付けられる棚部２００）における突状部２１４ａを差し込むためのものである。
【００５５】
次に、第２構成部１２０の構成を説明すると、第２構成部１２０は、後板部１３０と、後板部１３０の左側面側の辺部から折れ線Ｃ１１を介して連設された糊代部（第２糊代部）１４０と、前板部１３０の右側面側の辺部から折れ線Ｃ１２を介して連設された後側右内板部（後側第２内板部）１５０と、前側左内板部５０の背面側の辺部から折れ線Ｃ１３を介して連設された帯状部（第３帯状部）１６０と、帯状部１６０の右側面側の辺部から折れ線Ｃ１４を介して連設された右外板部（第２外板部）１７０と、右外板部１７０の正面側の辺部から折れ線Ｃ１５を介して連設された帯状部（第４帯状部）１８０と、帯状部１８０の左側面側の辺部から折れ線Ｃ１６を介して連設された前側右内板部（前側第２内板部）１９０とを有している。
【００５６】
つまり、糊代部１４０と後板部１３０と後側右内板部１５０と帯状部１６０と右外板部１７０と帯状部１８０と前側右内板部１９０とは一列に順に設けられ、また、糊代部１４０と後板部１３０と後側右内板部１５０と右外板部１７０と前側右内板部１９０とは一列に順に設けられ、右外板部１７０は帯状部１６０を介して後側右内板部１５０から連設され、前側右内板部１９０は帯状部１８０を介して右外板部１７０から連設されている。
【００５７】
ここで、第２構成部１２０は、本体部１０の組立て状態では、第１構成部２０と点対称に形成され、第２構成部１２０の展開状態は、第１構成部２０の展開状態と同一の構成であるので詳しい説明を省略する。すなわち、後板部１３０は前板部３０と同一の構成であり、糊代部１４０は糊代部４０と同一の構成であり、後側右内板部１５０は前側左内板部５０と同一の構成であり、帯状部１６０は帯状部６０と同一の構成であり、右外板部１７０は左外板部７０と同一の構成であり、帯状部１８０は帯状部８０と同一の構成であり、前側右内板部１９０は後側左内板部９０と同一の構成である。
【００５８】
なお、後板部１３０には、開口部（第２被差込み部）１３０ａが形成されている。開口部１３０ａは、開口部３０ａと同一の構成である。
【００５９】
糊代部１４０は、糊代部４０と同様に、糊代部本体（第２糊代部本体）１４１のみならず、突状部（第２糊代部突状部）１４２、１４４を有しているので、後板部１３０の左外板部７０に対する直角の状態を安定して保つことができ、本体部１０の略Ｈ形状を保持しやすくできる。
【００６０】
後側右内板部１５０には、フラップ１５２と被差込み部（第３被差込み部）１５４が形成され、フラップ１５２はフラップ５２と同一の構成であり、フラップ１５２を内側に折曲することにより形成された穴部１５２Ｋは穴部５２Ｋと同一の構成であり、フラップ２１２を差し込むための被差込み部となる。また、被差込み部１５４は、被差込み部５４と同一の構成である。
【００６１】
また、前側右内板部１９０には、フラップ１９２と被差込み部（第３被差込み部）１９４が形成され、フラップ１９２はフラップ９２と同一の構成であり、フラップ１９２を内側に折曲することにより形成された穴部１９２Ｋは穴部９２Ｋと同一の構成であり、フラップ２１０を差し込むための被差込み部となる。また、被差込み部１９４は、被差込み部９４と同一の構成である。後側右内板部１５０におけるフラップ１５２以外の部分が、後側右内板部本体１５１となり、前側右内板部１９０におけるフラップ１９２以外の部分が、後側右内板部本体１９１となる。
【００６２】
なお、後側右内板部１５０と後板部１３０間の折れ線Ｃ１２に沿って、折曲しやすいように複数の直線状の切込みが形成されている。
【００６３】
また、右外板部１７０からは折れ線を介してフラップ１７２、１７４が連設されている。フラップ１７２は、フラップ７２と同様の構成であり、フラップ１７４は、フラップ７４と同様の構成である。
【００６４】
また、第１構成部２０において、左外板部７０の横方向の長さｈ２は、後側左内板部９０の横方向の長さｈ１と前側左内板部５０の横方向の長さｈ３の和よりも長く形成され、また、第２構成部１２０において、右外板部１７０の横方向の長さｈ１２は、前側右内板部１９０の横方向の長さｈ１１と後側右内板部１５０の横方向の長さｈ１３の和よりも長く形成され、これにより、前板部３０と後板部１３０とは間隔を介して互いに平行（略平行としてもよい）となっている。
【００６５】
本体部１０を組み立てた状態では、糊代部４０（糊代部本体４１と突状部４２、４４）が右外板部１７０の内側の面に接着され、前側右内板部１９０は、右外板部１７０の内側の面及び突状部４２、４４の内側の面に接着され、後側右内板部１５０の正面側の辺部に沿った領域は、糊代部本体４１に接着されている。また、糊代部１４０（糊代部本体１４１と突状部１４２、１４４）が左外板部７０の内側の面に接着され、後側左内板部９０は、左外板部７０の内側の面及び突状部１４２、１４４の内側の面に接着され、前側左内板部５０の背面側の辺部に沿った領域は、糊代部本体１４１に接着されていて、これにより、前板部３０と後板部１３０とは、間隔を介して互いに平行に形成され、右外板部１７０と、前側右内板部１９０及び後側右内板部１５０とは、互いに平行に形成され、左外板部７０と、前側左内板部５０及び後側左内板部９０とは、互いに平行に形成されている。
【００６６】
本体部１０においては、中央壁部１０Ａは、前板部３０と後板部１３０とで構成され、右側壁部１０Ｂは、右外板部１７０と前側右内板部１９０と後側右内板部１５０と糊代部４０とで構成され、左側壁部１０Ｃは、左外板部７０と前側左内板部５０と後側左内板部９０と糊代部１４０とで構成される。
【００６７】
上記本体部１０の製造方法の一例をについて説明する。展開状態の第１構成部２０と第２構成部１２０を用意し、第１構成部２０を前板部３０が内側となる面を上側とするとともに、第２構成部１２０を後板部１３０が内側となる面を上側として糊代部１４０を左外板部７０に接着する（図１７（ａ）参照）。糊代部１４０の左外板部７０における接着箇所は、左右方向には、折れ線Ｃ１１を折れ線Ｃ５から後側左内板部９０の横幅ｈ１分の位置となるようにし、上下方向には、展開状態の第１構成部２０の上辺と展開状態の第２構成部１２０の上辺を一致させるとともに、展開状態の第１構成部２０の下辺と展開状態の第２構成部１２０の下辺を一致させた位置とする。
【００６８】
糊代部１４０を左外板部７０に接着する際には、糊代部本体１４１と突状部４２、４４を左外板部７０に接着させる。図１７（ａ）において、ハッチングで示された領域Ｓ１、Ｓ２、Ｓ３において接着を行なう。
【００６９】
次に、第２構成部１２０における折れ線Ｃ１１よりも糊代部１４０と反対側の領域を折れ線Ｃ１１を介して回動させて糊代部１４０側に折り返し（図１７（ｂ）参照）、その後、後側左内板部９０の帯状部８０とは反対側の領域Ｓ４に接着剤を塗布し、帯状部８０を左外板部７０に対して折れ線Ｃ５を介して折曲するとともに、後側左内板部９０を帯状部８０に対して折れ線Ｃ６を介して折曲することにより、後側左内板部９０と左外板部７０及び突状部１４２、１４４とを接着する（図１７（ｃ）参照）。
【００７０】
次に、第２構成部１２０における折れ線Ｃ１１よりも糊代部１４０と反対側の領域を折れ線Ｃ１１を介して回動させて第２構成部１２０をもとの展開した状態に戻し、前側左内板部５０の前板部３０側の端部の領域Ｓ５と、後側右内板部１５０の後板部１３０側の端部の領域Ｓ６に接着剤を塗布する（図１８（ｄ）参照）。
【００７１】
その後、帯状部６０を左外板部７０に対して折れ線Ｃ４を介して折曲するとともに、前側左内板部５０を帯状部６０に対して折れ線Ｃ３を介して折曲して、前側左内板部５０から糊代部４０までの領域を帯状部６０を介して折り返した状態として、領域Ｓ５を糊代部本体１４１に接着させ、領域Ｓ６を糊代部本体４１に接着させる（図１８（ｅ）参照）。
【００７２】
その後、右外板部１７０における糊代部本体４１との接着領域Ｓ７に接着剤を塗布するとともに、突状部４２の領域Ｓ８と突状部４４の領域Ｓ９に接着剤を塗布し、帯状部１６０を後側右内板部１５０に対して折れ線Ｃ１３を介して折曲するとともに、右外板部１７０を帯状部１６０に対して折れ線Ｃ１４を介して折曲して、右外板部１７０から前側右内板部１９０までの領域を帯状部１６０を介して折り返した状態とし、領域Ｓ７を糊代部本体４１に接着させる（図１８（ｆ）参照）。
【００７３】
次に、図１８（ｆ）の状態を表裏逆になるようにひっくり返し、その後、前板部３０を折れ線Ｃ１を介して回動させるとともに、後板部１３０を折れ線Ｃ１１を介して回動させて、図１９（ｇ）に示す状態とし、この状態で、前側右内板部１９０の帯状部１８０とは反対側の端部の領域Ｓ１０に接着剤を塗布して、その後、帯状部１８０を右外板部１７０に対して折れ線Ｃ１５を介して折曲するとともに、前側右内板部１９０を帯状部１８０に対して折れ線Ｃ１６を介して折曲して、前側右内板部１９０を帯状部１８０を介して折り返した状態とし、領域Ｓ８を右外板部１７０及び突状部４２、４４に接着させる（図１９（ｈ）参照）。以上のようにして、本体部１０が製造される。
【００７４】
次に、棚部２００は、図１〜図４、図７に示すように、棚部本体２０１と、棚部本体２０１の奥側の端部から上側に連設された奥板部２０２と、棚部本体２０１の奥側の端部から下側に連設された下方板部２１４と、棚部本体２０１の左右両側から連設された差込み片部２１０、２１２とを有している。棚部２００は、１枚のシート状のブランク（具体的には、段ボール製（例えば、薄型段ボール製）のブランクや厚紙製のブランク等の紙製のブランク）により形成されている。
【００７５】
ここで、棚部２００を構成するブランクの展開状態は図７に示すように構成され、奥板部２０２と、奥板部２０２の一方の辺部から折れ線を介して連設された上板部２０４と、上板部２０４の奥板部２０２とは反対側の辺部から折れ線を介して連設された帯状部２０６と、帯状部２０６の上板部２０４とは反対側の辺部から折れ線を介して連設された底板部２０８と、底板部２０８の帯状部２０６とは反対側の辺部から折れ線を介して連設された下方板部２１４と、底板部２０８の右側面側の辺部から折れ線を介して連設された差込み片部２１０と、底板部２０８の左側面側の辺部から折れ線を介して連設された差込み片部２１２とを有している。なお、上板部２０４の領域Ｓ１１に接着剤を塗布することにより、領域Ｓ１１が底板部２０８と接着している。上板部２０４と帯状部２０６と底板部２０８とで棚部本体２０１が構成される。
【００７６】
ここで、奥板部２０２は、横長の長方形状を呈し、上板部２０４と反対側の両端の端部は斜めに欠切されて面取りされている。棚部２００を本体部１０に取り付けた状態では、奥板部２０２の上板部２０４とは反対側の辺部（すなわち、奥板部２０２の上端）が前板部３０や後板部１３０に接した状態となり、その状態では、奥板部２０２が前板部３０（後板部１３０）側にいくほど上位置となるように傾斜して設けられる。
【００７７】
また、上板部２０４は、略方形状（具体的には、略長方形状）を呈し、方形状の両側に帯状部の突状部２０４ａ、２０４ｂを形成した形状を呈している。つまり、上板部２０４の左右両側の辺部の奥板部２０２側には突状部２０４ａ、２０４ｂが形成されている。なお、上板部２０４は、方形状（具体的には、長方形状）としてもよい。なお、奥板部２０２上板部２０４間の折れ線に沿って、折曲しやすいように複数の直線状の切込みが形成されている。帯状部２０６は、上板部２０４との間の折れ線や底板部２０８との間の折れ線に沿って帯状に形成されている。
【００７８】
また、底板部２０８は、略方形状（具体的には、略長方形状）を呈し、方形状の両側に帯状部の突状部２０８ａ、２０８ｂを形成した形状を呈している。すなわち、底板部２０８を上板部２０４に接着した状態で、突状部２０４ａと対応する位置に突状部２０８ａが形成され、突状部２０４ｂと対応する位置に突状部２０８ｂが形成されている。この突状部２０８ａ、２０８ｂは、棚部２００を本体部１０に取り付けた場合に、フラップ５２、９２、１５２、１９２に接する。つまり、正面側に取り付けた棚部２００については、突状部２０８ａはフラップ１９２と接し、突状部２０８ｂはフラップ５２に接し、背面側に取り付けた棚部２００については、突状部２０８ａはフラップ９２と接し、突状部２０８ｂはフラップ１５２に接する。
【００７９】
また、底板部２０８の下方板部２１４側の端部には、略方形状（具体的には、略横長方形状）の突状部（底板部突状部）２０８ｃが設けられている。この突状部２０８ｃは、底板部２０８と下方板部２１４間の一対の折れ線間に形成された略コ字状の切込みを形成することにより形成されている。つまり、棚部２００の展開状態において、該略コ字状の切込みと該一対の折れ線を介して底板部２０８と下方板部２１４が区画されている。
【００８０】
棚部２００を本体部１０の正面側に取り付けた場合に、突状部２０８ｃは前板部３０の開口部３０ａに差し込まれ、棚部２００を本体部１０の背面側に取り付けた場合に、突状部２０８ｃは後板部１３０の開口部１３０ａに差し込まれる。
【００８１】
また、差込み片部２１０は、突状部２０８ａから折れ線を介して連設され、略台形形状を呈している。また、差込み片部２１２は、突状部２０８ｂから折れ線を介して連設され、略台形形状を呈している。棚部２００を本体部１０の正面側に取り付けた場合に、差込み片部２１０は、穴部１９２Ｋに差し込まれて前側右内板部１９０と右外板部１７０間に固定され、差込み片部２１２は、穴部５２Ｋに差し込まれて前側左内板部５０と左外板部７０間に固定され、棚部２００を本体部１０の背面側に取り付けた場合に、差込み片部２１０は、穴部９２Ｋに差し込まれて後側左内板部９０と左外板部７０間に固定され、差込み片部２１２は、穴部１５２Ｋに差し込まれて後側右内板部１５０と右外板部１７０間に固定される。
【００８２】
また、下方板部２１４は、方形状の左右両側に、突状部（下方板部突状部）２１４ａ、２１４ｂと切欠部２１６ａ、２１６ｂを形成した形状を呈している。すなわち、下方板部２１４の底板部２０８に近い側の右側面側に切欠部２１６ａが形成され、左側面側に切欠部２１６ｂが形成されている。切欠部２１６ａ、２１６ｂは、内側にいくほど幅狭となる略台形形状を呈してる。これらの切欠部２１６ａ、２１６ｂは、下方板部２１４の突状部２１４ａ、２１４ｂを本体部１０に取り付ける際に、下方板部２１４を手でつかみやすくするためのものである。突状部２１４ａ、２１４ｂは、下方板部２１４の相対する辺部に設けられている。棚部２００を本体部１０に取り付けた状態では、下方板部２１４は、図１〜図４に示すように、下方板部２１４の面が斜め上方を向く（つまり、棚部２００を前側右内板部１９０と前側左内板部５０間に取り付けた場合には、下方板部２１４は、下方にいくほど外側（正面側）となり、棚部２００を後側右内板部１５０と後側左内板部９０間に取り付けた場合には、下方板部２１４は、下方にいくほど外側（背面側）となる）ように配置され、下方板部２１４の下端の高さ方向の位置は、本体部１０の下端の高さ方向の位置と略同一となり、本体部１０を被設置面に設置した状態では、下方板部２１４の下端も被設置面に接する。
【００８３】
また、突状部２１４ａは、下方板部２１４の右側面側の辺部における切欠部２１６ａよりも下方板部２１４の先端側（底板部２０８側とは反対側）に形成され、帯状（細長長方形状としてもよい）を呈している。また、突状部２１４ｂは、下方板部２１４の左側面側の辺部における切欠部２１６ｂよりも下方板部２１４の先端側（底板部２０８側とは反対側）に形成され、帯状（細長長方形状としてもよい）を呈している。
【００８４】
棚部２００を本体部１０の正面側に取り付けた場合には、突状部２１４ａは被差込み部１９４に差し込まれ、突状部２１４ｂは被差込み部５４に差し込まれる。また、棚部２００を本体部１０の背面側に取り付けた場合には、突状部２１４ａは被差込み部９４に差し込まれ、突状部２１４ｂは被差込み部１５４に差し込まれる。
【００８５】
なお、奥板部２０２の左右方向の幅と、上板部２０４の突状部２１４ａ、２１４ｂ形成位置以外の左右方向の幅と、底板部２０８の突状部２０８ａ、２０８ｂ形成位置以外の左右方向の幅と、下方板部２１４の突状部２１４ａ、２１４ｂの形成位置及び切欠部２１６ａ、２１６ｂ形成位置以外の左右方向の幅は、同一（略同一としてもよい）であり、組立て状態の本体部１０における前側右内板部１９０と前側左内板部５０間の長さや後側右内板部１５０と後側左内板部９０間の長さと略同一に（厳密には若干短く）形成されている。
【００８６】
また、上部構成部３００は、図１〜図４、図１３に示すように、床板部３０１と、床板部３０１の各辺から立設した枠状部３７０とを有し、枠状部３７０は、枠構成部３７０−２、３７０−４、３７０−６、３７０−８とを有している。上部構成部３００は、図８に示すように、１枚のシート状のブランク（具体的には、段ボール製（例えば、薄型段ボール製）のブランクや厚紙製のブランク等の紙製のブランク）により形成されている。
【００８７】
ここで、上部構成部３００の展開状態は、図８に示すように構成され、床板部３０１と、内板部３０２、３０４、３０６、３０８と、帯状部（第６帯状部）３１２、３１４、３１６、３１８と、外板部３２２、３２４、３２６、３２８と、連結板部３３０、３３２、３３４、３３６と、帯状部（第７帯状部）３４２、３４４と、裏板部３５２、３５４と、フラップ３６０、３６２、３６４、３６６とを有している。
【００８８】
ここで、床板部３０１は方形状を呈し、左右方向の長さは、前板部３０や後板部１３０の横方向の長さと略同一に（厳密には、若干大きく）形成され、前後方向の長さは、右外板部１７０や左外板部７０の横方向の長さと略同一に（厳密には、若干小さく）形成されている。
【００８９】
また、内板部３０２は、床板部３０１の正面側の辺部から折れ線を介して連設され、内板部３０４は、床板部３０１の背面側の辺部から折れ線を介して連設され、内板部３０６は、床板部３０１の右側面側の辺部から折れ線を介して連設され、内板部３０８は、床板部３０１の左側面側の辺部から折れ線を介して連設されている。内板部３０２、３０４は、長方形状を呈し、床板部３０１の左右方向の長さと略同一に（厳密には、若干短く）形成されている。また、内板部３０６、３０８は、略長方形状（床板部３０１側の両側の角部が斜めに面取された長方形状）を呈し、横方向の長さは床板部３０１の前後方向の長さと略同一（厳密には、若干長く形成されている）。内板部３０２、３０４、３０６、３０８の幅（床板部３０１の辺部と該辺部と反対側の辺部間の長さ）は同一に形成されている。
【００９０】
また、帯状部３１２は、内板部３０２の床板部３０１とは反対側の辺部から折れ線を介して連設され、帯状部３１４は、内板部３０４の床板部３０１とは反対側の辺部から折れ線を介して連設され、帯状部３１６は、内板部３０６の床板部３０１とは反対側の辺部から折れ線を介して連設され、帯状部３１８は、内板部３０８の床板部３０１とは反対側の辺部から折れ線を介して連設されている。帯状部３１２、３１４、３１６、３１８はいずれも帯状に形成され、帯状部３１２は、内板部３０２の横方向の長さよりも長く形成され、内板部３０２の両側に突出して形成され、帯状部３１４は、内板部３０４の横方向の長さよりも長く形成され、内板部３０４の両側に突出して形成され、帯状部３１６は、内板部３０６の横方向の長さよりも若干長く形成され、内板部３０２の両側に若干突出して形成され、帯状部３１８は、内板部３０８の横方向の長さよりも若干長く形成され、内板部３０８の両側に若干突出して形成されている。帯状部３１２、３１４、３１６、３１８の幅（内板部３０２、３０４、３０６、３０８側の辺部と外板部３２２、３２４、３２６、３２８側の辺部間の長さ）は同一に形成されている。
【００９１】
また、外板部３２２は、帯状部３１２の内板部３０２とは反対側の辺部から折れ線を介して連設され、外板部３２４は、帯状部３１４の内板部３０４とは反対側の辺部から折れ線を介して連設され、外板部３２６は、帯状部３１６の内板部３０６とは反対側の辺部から折れ線を介して連設され、外板部３２８は、帯状部３１８の内板部３０８とは反対側の辺部から折れ線を介して連設されている。外板部３２２、３２４、３２６、３２８は、いずれも長方形状を呈し、外板部３２２の横方向の長さは、帯状部３１２と同一（略同一でもよい）に形成され、外板部３２４の横方向の長さは、帯状部３１４と同一（略同一でもよい）に形成され、外板部３２６の横方向の長さは、帯状部３１６と同一（略同一でもよい）に形成され、外板部３２８の横方向の長さは、帯状部３１４と同一（略同一でもよい）に形成されている。外板部３２２、３２４、３２６、３２８の幅（帯状部３１２、３１４、３１６、３１８の辺部と該辺部と反対側の辺部間の長さ）は同一に形成されている。なお、外板部３２２、３２４、３２６、３２８の幅は、内板部３０２、３０４、３０６、３０８の幅よりも大きく形成され、外板部３２２、３２４、３２６、３２８の下端は床板部３０１よりも下方に突出している。
【００９２】
また、連結板部３３０は、外板部３２６の正面側の辺部から折れ線を介して連設され、方形状の先端に連結板部３３２の切欠部と係合する突状部を形成した形状を呈している。つまり、連結板部３３０は、長方形状の本体部３３０ａと、本体部３３０ａの外板部３２６とは反対側の辺部から連設され突状部３３０ｂとを有している。この突状部３３０ｂは、先端側よりも基端側が幅狭のくびれた形状を呈している。
【００９３】
また、連結板部３３２は、長方形状の先端側（外板部３２６とは反対側）に切欠部３３２ａを有する形状に形成され、突状部３３０ｂと同一（略同一としてもよい）の形状・大きさに形成されている。これにより、突状部３３０ｂを切欠部３３２ａに係合させることにより、連結板部３３０と連結板部３３２を連結させることができる。
【００９４】
また、連結板部３３４は、外板部３２８の正面側の辺部から折れ線を介して連設され、方形状の先端に連結板部３３６の切欠部と係合する突状部を形成した形状を呈している。連結板部３３４は、連結板部３３２と同一の構成され、連結板部３３６は、連結板部３３０と同一の構成となっている。つまり、連結板部３３４には、切欠部３３４ａが形成され、連結板部３３６は、長方形状の本体部３３６ａと、くびれた形状の突状部３３６ｂを有している。
【００９５】
また、帯状部３４２は、外板部３２２の帯状部３１２と反対側の辺部から折れ線を介して連設され、外板部３２２の横方向の長さよりも短く（内板部３０２と略同一の長さに）形成されている。また、帯状部３４４は、外板部３２４の帯状部３１４と反対側の辺部から折れ線を介して連設され、外板部３２４の横方向の長さよりも短く（内板部３０４と略同一の長さに）形成されている。
【００９６】
また、裏板部３５２は、帯状部３４２の外板部３２２とは反対側の辺部から折れ線を介して連設され、長方形状に形成されている。裏板部３５２の横方向の長さは、帯状部３４２の横方向の長さよりも長く形成され、帯状部３４２の両側に突出して形成されている。裏板部３５２の帯状部３４２側の両側の端部からは帯状部３４２との間の折れ線に対して傾斜した（約４５度に傾斜している）折れ線が形成されている。また、フラップ３６０は、裏板部３５２の右側面側の辺部から折れ線を介して連設され、フラップ３６２は、裏板部３５２の左側面側の辺部から折れ線を介して連設され、フラップ３６０、３６２は、方形状を呈している。
【００９７】
裏板部３５４は、帯状部３４４の外板部３２４とは反対側の辺部から折れ線を介して連設され、長方形状に形成されている。裏板部３５４の横方向の長さは、帯状部３４４の横方向の長さよりも長く形成され、帯状部３４４の両側に突出して形成されている。裏板部３５４の帯状部３４４側の両側の端部からは帯状部３４４との間の折れ線に対して傾斜した（約４５度に傾斜している）折れ線が形成されている。また、フラップ３６４は、裏板部３５４の右側面側の辺部から折れ線を介して連設され、フラップ３６６は、裏板部３５４の左側面側の辺部から折れ線を介して連設され、フラップ３６４、３６６は、方形状を呈している。
【００９８】
上部構成部３００は、その展開状態においては、点対称に形成されている。つまり、床板部３０１の正面側に形成された各部（内板部３０２と帯状部３１２と外板部３２２と帯状部３４２と裏板部３５２とフラップ３６０、３６２）と、床板部３０１の背面側に形成された各部（内板部３０４と帯状部３１４と外板部３２４と帯状部３４４と裏板部３５４とフラップ３６４、３６６）とは、線対称に形成されている。また、床板部３０１の右側面側に形成された各部（内板部３０６と帯状部３１６と外板部３２６と連結板部３３０、３３２）と、床板部３０１の左側面側に形成された各部（内板部３０８と帯状部３１８と外板部３２８と連結板部３３４、３３６）とは、点対称に形成されている。
【００９９】
なお、床板部３０１と内板部３０２、３０４、３０６、３０８間の折れ線には、折曲しやすいように複数の直線状の切込みが間隔を介して形成されている。
【０１００】
また、領域Ｓ１１に接着剤を塗布することにより内板部３０６と外板部３２６とは予め接着され、領域Ｓ１２に接着剤を塗布することにより内板部３０８と外板部３２８とは予め接着されている。
【０１０１】
上部構成部３００を組み立てた状態においては、内板部３０２、３０４、３０６、３０８が床板部３０１に対して折曲して立設した状態となり、帯状部３１２、３１４、３１６、３１８は、それぞれ連設された内板部に対して折曲され、さらに外板部３２２、３２４、３２６、３２８は、それぞれ連設された帯状部に対して折曲されて対応する内板部と平行に設けられる。
【０１０２】
連結板部３３０と連結板部３３４は、それぞれ連設された外板部に対して折曲されて突状部３３０ｂと切欠部３３４ａが係合され、連結板部３３２と連結板部３３６は、それぞれ連設された外板部に対して折曲されて突状部３３６ｂと切欠部３３２ａが係合される。内板部３０２と外板部３２２間に、連結板部３３０、３３４が挟まれた状態となり、内板部３０４と外板部３２４間に、連結板部３３２、３３６が挟まれた状態となる。
【０１０３】
帯状部３４２、３４４は、それぞれ連設された外板部に対して折曲され、さらに、裏板部３５２、３５４は、それぞれ連設された帯状部に対して折曲されて、裏板部３５２と外板部３２２間に、連結板部３３０、３３４が挟まれた状態となり、裏板部３５４と外板部３２４間に、連結板部３３２、３３６が挟まれた状態となる。
【０１０４】
フラップ３６０、３６２は、裏板部３５２に対して折曲されて、フラップ３６０は外板部３２６に沿って外板部３２６に接した状態となり、フラップ３６２は外板部３２８に沿って外板部３２８に接した状態となる。同様に、フラップ３６４、３６６は、裏板部３５４に対して折曲されて、フラップ３６４は外板部３２６に沿って外板部３２６に接した状態となり、フラップ３６６は外板部３２８に沿って外板部３２８に接した状態となる。
【０１０５】
実際には、内板部３０２、３０４、３０６、３０８が床板部３０１に対して立設し、外板部３２２が内板部３０２に対して平行で、外板部３２４が内板部３０４に対して平行な状態で、連結板部３３０と連結板部３３４とを係合させるとともに、連結板部３３２と連結板部３３６とを係合させ（図１２参照）、その後、外板部３２２を内板部３０２と平行にして外板部３２２と内板部３０２によりを連結板部３３０、３３４を挟んだ状態とし、さらに、裏板部３５２を外板部３２２と平行にして裏板部３５２と外板部３２２によりを連結板部３３０、３３４を挟んだ状態とし、フラップ３６０、３６２を裏板部３５２に対して折曲するとともに、外板部３２４を内板部３０４と平行にして外板部３２４と内板部３０４によりを連結板部３３２、３３６を挟んだ状態とし、さらに、裏板部３５４を外板部３２４と平行にして裏板部３５４と外板部３２４によりを連結板部３３２、３３６を挟んだ状態とし、フラップ３６４、３６６を裏板部３５４に対して折曲する。以上のようにして、図１３に示すように、上部構成部３００が組み立てられる。
【０１０６】
上部構成部３００において、内板部３０２と帯状部３１２と外板部３２２と帯状部３４２と裏板部３５２と連結板部３３０、３３４とにより枠構成部３７０−２が構成され、
内板部３０４と帯状部３１４と外板部３２４と帯状部３４４と裏板部３５４と連結板部３３２、３３６とにより枠構成部３７０−４が構成され、内板部３０６と帯状部３１６と外板部３２６とにより枠構成部３７０−６が構成され、内板部３０８と帯状部３１８と外板部３２８とにより枠構成部３７０−８が構成される。また、上部構成部３００における床板部３０１以外の構成が、枠状部３７０を構成する。
【０１０７】
陳列台１を組み立てた状態においては、上面視Ｈ型に配置された本体部１０の正面側と背面側とに棚部２００が取り付けられ、さらに、本体部１０の上端に上部構成部３００が配置される。本体部１０の上端を上部構成部３００の底面側に挿入することにより、上部構成部３００が本体部１０（下部構成部５としてもよい）に取り付けられる。つまり、上部構成部３００を本体部１０の上端に取り付けた状態では、右外板部１７０の外側に外板部３２６が配置され、左外板部７０の外側に外板部３２８が配置され、フラップ１７４は右外板部１７０に対して折曲して、裏板部３５２の内側に沿って裏板部３５２の内側に接した状態となり、フラップ７２は左外板部７０に対して折曲して、裏板部３５２の内側に沿って裏板部３５２の内側に接した状態となり、フラップ７４は左外板部７０に対して折曲して、裏板部３５４の内側に沿って裏板部３５４の内側に接した状態となり、フラップ１７２は右外板部１７０に対して折曲して、裏板部３５４の内側に沿って裏板部３５４の内側に接した状態となる。
【０１０８】
上記構成の陳列台１の使用状態について説明する。本体部１０と棚部２００と上部構成部３００とはそれぞれ折り畳んだ状態とすることができるので、折り畳んだ状態で保管や運搬をすることができ、省スペースを図ることができる。
【０１０９】
すなわち、本体部１０については、前側左内板部５０を前板部３０側に回動させ、後側右内板部１５０を後板部１３０側に回動させることにより、図９に示すように扁平状にすることができる。つまり、前側左内板部５０を前板部３０側に回動させることにより、左外板部７０と前側左内板部５０と後側左内板部９０が前板部３０や後板部１３０と略平行になり、後側右内板部１５０を後板部１３０側に回動させることにより、右外板部１７０と前側右内板部１９０と後側右内板部１５０が前板部３０や後板部１３０と略平行になって、全体に扁平にすることができる。
【０１１０】
また、棚部２００については、下方板部２１４を底板部２０８に対して同一平面状とすることにより、図１０に示すように扁平状に畳むことができる。
【０１１１】
また、上部構成部３００は、床板部３０１の正面側に形成された各部（内板部３０２と帯状部３１２と外板部３２２と帯状部３４２と裏板部３５２とフラップ３６０、３６２）と、床板部３０１の背面側に形成された各部（内板部３０４と帯状部３１４と外板部３２４と帯状部３４４と裏板部３５４とフラップ３６４、３６６）を床板部３０１と同一平面状にし、内板部３０６、３０８を床板部３０１と同一平面状とすることにより、図１１に示すように扁平状と畳むことができる。
【０１１２】
陳列台１を組み立てる場合には、本体部１０と上部構成部３００を組み立てる。
【０１１３】
本体部１０については、前側左内板部５０を前板部３０に対して回動させて直角とすることにより、左外板部７０と前側左内板部５０と後側左内板部９０とが、前板部３０や後板部１３０に対して直角となり、後側右内板部１５０を後板部１３０に対して回動させて直角とすることにより、右外板部１７０と前側右内板部１９０と後側右内板部１５０とが、前板部３０や後板部１３０に対して直角となり、全体として、図１４に示すように、本体部１０は、上面視及び底面視において略Ｈ型に形成される。
【０１１４】
上部構成部３００については、上記のように組み立てることにより図１３に示すように組み立てられる。
【０１１５】
本体部１０と上部構成部３００を組み立てたら本体部１０の上端に上部構成部３００を取り付ける。例えば、図１３に示すように上下逆さまにした状態の上部構成部３００に対して、上下逆さまにした本体部１０を差し込むことにより、図１５に示すように、本体部１０に上部構成部３００が取り付けられる。図１５の状態から上下逆さまにして図１６に示す状態とし、その後は、棚部２００を取り付ける。
【０１１６】
すなわち、正面側に取り付ける棚部２００については、下方板部２１４を底板部２０８に対して折り曲げた状態として、突状部２０８ｃを開口部３０ａに差し込み、その後、差込み片部２１０を下方に折曲した状態で穴部１９２Ｋに差し込むとともに、差込み片部２１２を下方に折曲した状態で穴部５２Ｋに差し込む。これにより、フラップ１９２は前側右内板部本体１９１に対して内側に折曲し底板部２０８に接し、フラップ５２は前側左内板部本体５１に対して内側に折曲し底板部２０８に接する。また、フラップ９２は後側左内板部本体９１に対して内側に折曲し底板部２０８に接し、フラップ１５２は後側右内板部本体１５１に対して内側に折曲し底板部２０８に接する。
【０１１７】
その後、下方板部２１４の両側の突状部２１４ａ、２１４ｂを被差込み部に差し込む。つまり、正面側に取り付ける棚部２００については、突状部２１４ａを被差込み部１９４に差し込み、突状部２１４ｂを被差込み部５４に差し込み、背面側に取り付ける棚部２００については、突状部２１４ａを被差込み部９４に差し込み、突状部２１４ｂを被差込み部１５４に差し込む。
【０１１８】
以上のようにして、陳列台１を組み立てることができる。陳列台１を組み立てた状態は、図１〜図４に示すようになる。
【０１１９】
陳列台１を組み立てたら、上部構成部３００の床板部３０１の上面に被陳列物を載置して陳列するとともに、本体部１０の両側に設けられた棚部２００の棚部本体２０１の上面に被陳列物を載置して陳列することができる。よって、上部構成部３００に被陳列物を陳列することができるのみならず、一対の棚部２００が本体部１０の正面側と背面側に設けられることにより、上部構成部３００の下側に収納機能を持たせることができ、特に、上部構成部３００の下側の正面側と背面側に収納スペースを設けることができる。
【０１２０】
なお、棚部本体２０１は、奥側にいくほど下方となるように傾斜して設けられるので、斜め上方から視認した場合に、被陳列物（特に、被陳列物の側面）を見やすくすることができる。
【０１２１】
また、奥板部２０２の上端が前板部３０や後板部１３０に接した状態で、奥板部２０２が前板部３０（後板部１３０）側にいくほど上位置となるように傾斜して設けられる（特に、奥板部２０２が上板部２０４に対して略直角）となるので、被陳列物の奥側の面を支えることができ、被陳列物が手前側に倒れるのを防止することができる。つまり、上板部２０４と前板部３０又は後板部１３０とは鋭角をなすので、奥板部２０２が設けられていない場合には、被陳列物の下端を奥側に押し込むと被陳列物が上板部２０４の上面に対して手前側に傾斜して被陳列物が手前側に倒れるおそれがあるが、本実施例の場合には奥板部２０２が設けられているので、そのおそれがない。
【０１２２】
また、棚部２００の突状部２０８ｃを前板部３０の開口部３０ａ（後板部１３０の開口部１３０ａ）に差し込むことにより、棚部２００の背面側も本体部に固定されるので、棚部２００を強固に本体部１０に固定でき、また、本体部１０自体も略Ｈ形状を強固に維持できて、本体部１０の強度も増すことができる。
【０１２３】
また、棚部２００を本体部１０に取り付けた状態では、下方板部２１４は、図１〜図４に示すように、下方板部２１４の面が斜め上方を向くように配置されるので、下方板部２１４に広告を印刷する等して表示することができる。
【０１２４】
また、下方板部２１４の下端が被設置面に接するので、その分、陳列台１の自立性を高めることができる。
【０１２５】
また、本体部１０は、上端に上部構成部３００が取り付けられ、また、正面側と背面側とに棚部２００が取り付けられるので、上面視や底面視における略Ｈ形状を保つことができ、本体部１０の自立性を維持させることができる。
【０１２６】
なお、上記の説明において、糊代部本体４１は、前板部３０から背面側に折曲して右外板部１７０と接着するが、前板部３０から正面側に折曲して右外板部１７０と接着するものとしてもよい。また、糊代部本体１４１は、後板部３０から正面側に折曲して左外板部７０と接着するが、後板部１３０から正面側に折曲して左外板部７０と接着するものとしてもよい。
【０１２７】
この場合には、前側左内板部５０は、突状部１４２、１４４及び左外板部７０と接着し、後側右内板部１５０は、突状部４２、４４及び右外板部１７０と接着し、後側左内板部９０は、糊代部本体１４１と接着し、前側右内板部１９０は、糊代部本体４１と接着する。
【０１２８】
また、上記の説明において、前側左内板部５０は糊代部１４０に接着するとしたが、前側左内板部５０を左外板部７０に接着してもよく、後側右内板部１５０は糊代部４０に接着するとしたが、後側右内板部１５０を右外板部１７０に接着するものとしてもよい。
【０１２９】
また、上記の説明において、後側左内板部９０は突状部１４２、１４４及び左外板部７０に接着するとしたが、後側左内板部９０は、左外板部７０のみと接着してもよく、前側右内板部１９０は突状部４２、４４及び右外板部１７０に接着するとしたが、前側右内板部１９０は、右外板部１７０のみと接着するものとしてもよい。また、逆に、後側左内板部９０は、突状部１４２、１４４のみと接着してもよく、また、前側右内板部１９０は、突状部４２、４４のみと接着してもよい。
【０１３０】
また、糊代部本体４１が前板部３０から正面側に折曲して右外板部１７０と接着して、後側右内板部１５０が突状部４２、４４のみと接着してもよいし、右外板部１７０のみと接着してもよいし、前側右内板部１９０は右外板部１７０のみと接着してもよい。同様に、糊代部本体１４１が後板部１３０から背面側に折曲して左外板部７０と接着して、前側左内板部５０が突状部１４２、１４４のみと接着してもよいし、左外板部７０のみと接着してもよいし、後側左内板部９０は左外板部７０のみと接着してもよい。
【０１３１】
以上のように、前側左内板部５０は、糊代部本体１４１のみと接着する場合もあるし、左外板部７０のみと接着する場合もあるし、突状部１４２、１４４のみと接着する場合もある。同様に、後側右内板部１５０は、糊代部本体４１のみと接着する場合もあるし、右外板部１７０のみと接着する場合もあるし、突状部４２、４４のみと接着する場合もある。
【０１３２】
なお、上記の本体部１０において、左右対称の構成としてもよい。すなわち、本体部１０を構成する第１構成部２０と第２構成部１２０を展開状態において左右対称の構成とし、これにより、右外板部１７０が左外板部（第２外板部）となり、左外板部７０が右外板部（第１外板部）となり、前側右内板部１９０が前側左内板部（前側第２内板部）となり、前側左内板部５０が前側右内板部（前側第１内板部）となり、後側右内板部１５０が後側左内板部（後側第２内板部）となり、後側左内板部９０が後側右内板部（後側第１内板部）となる。つまり、前板部から折れ線を介して前側右内板部が連設し、さらに、前側右内板部から帯状部を介して右外板部が連設し、さらに帯状部を介して後側右内板部が連設する構成となり、後板部から折れ線を介して後側左内板部が連設し、さらに後側左内板部から帯状部を介して左外板部が連設し、さらに帯状部を介して前側左内板部が連設する構成ととなる。
【０１３３】
また、上記の構成において、ある板部と平行な他の板部との間に帯状部を設けることにより、折曲げを容易とする構成としたが、該帯状部を省略し、帯状部の両側の板部を連設した構成としてもよい。例えば、帯状部６０、８０。１６０、１８０、２０６、３１２、３１４、３１６、３１８、３４２、３４４を省略した構成としてもよい。
【符号の説明】
【０１３４】
１  陳列台
５  下部構成部
１０  本体部
２０  第１構成部
３０  前板部
４０、１４０  糊代部
４１、１４１  糊代部本体
４２、４４、１４２、１４４  突状部
５０  前側左内板部
５２、７２、７４、９２、１５２、１７２、１７４、１９２  フラップ
５２Ｋ、９２Ｋ、１５２Ｋ、１９２Ｋ  穴部
５４、９４、１５４、１９４  被差込み部
６０、８０、１６０、１８０  帯状部
７０  左外板部
９０  後側左内板部
１２０  第２構成部
１３０  後板部
１５０  後側右内板部
１７０  右外板部
１９０  前側右内板部
２００  棚部
２０１  棚部本体
２０２  奥板部
２０４  上板部
２０６  帯状部
２０８  底板部
２１０、２１２  差込み片部
２０８ｃ、２１４ａ、２１４ｂ  突状部
２１４  下方板部
３００  上部構成部
３０１  床板部
３０２、３０４、３０６、３０８  内板部
３１２、３１４、３１６、３１８、３４２、３４４  帯状部
３２２、３２４、３２６、３２８  外板部
３３０、３３２、３３４、３３６  連結板部
３５２、３５４  裏板部
３６０、３６２、３６４、３６６  フラップ
【図１】
0003187775.tif 000003
【図２】
0003187775.tif 000004
【図３】
0003187775.tif 000005
【図４】
0003187775.tif 000006
【図５】
0003187775.tif 000007
【図６】
0003187775.tif 000008
【図７】
0003187775.tif 000009
【図８】
0003187775.tif 000010
【図９】
0003187775.tif 000011
【図１０】
0003187775.tif 000012
【図１１】
0003187775.tif 000013
【図１２】
0003187775.tif 000014
【図１３】
0003187775.tif 000015
【図１４】
0003187775.tif 000016
【図１５】
0003187775.tif 000017
【図１６】
0003187775.tif 000018
【図１７】
0003187775.tif 000019
【図１８】
0003187775.tif 000020
【図１９】
0003187775.tif 000021